(57)【特許請求の範囲】
【請求項１】
ホゼル穴を有するヘッドと、
スリーブシャフト挿入穴を有し、該ホゼル穴に挿入されるスリーブと、
該スリーブシャフト挿入穴に挿入されたシャフトと、
シャフトが挿通されるシャフト挿通孔を有するゴルフクラブ用リングと
を有するゴルフクラブにおいて、
該ゴルフクラブ用リングは、上部と、該上部よりも大径の下部とを有し、該上部の最外径は該下部の最外径よりも小さく、
該ゴルフクラブ用リングの上部は、長さＴだけ前記スリーブから突出しており、この突出長さＴは０．５〜２．０ｍｍであり、
該スリーブシャフト挿入穴は、該ゴルフクラブ用リングの該下部よりも小径のスリーブシャフト挿入穴下部と、該ゴルフクラブ用リングの該下部が挿入されるスリーブシャフト挿入穴上部とを有していることを特徴とするゴルフクラブ。
【請求項２】
請求項１において、前記ゴルフクラブ用リングは、前記上部の上位側の外周面は、上方ほど縮径する傾斜部となっていることを特徴とするゴルフクラブ。
【請求項３】
請求項１又は２において、前記ゴルフクラブ用リングは、前記上部に、前記シャフト挿通孔と、該上部の外周面とを連通する貫通部が設けられていることを特徴とするゴルフクラブ。
【請求項４】
請求項１ないし３のいずれか１項において、前記ゴルフクラブ用リングの前記上部の最外径は、前記スリーブシャフト挿入穴上部よりも小さいことを特徴とするゴルフクラブ。
【請求項５】
請求項１ないし４のいずれか１項において、前記ゴルフクラブ用リングの上部と前記スリーブシャフト挿入穴上部の内周面との間に接着剤が充填されていることを特徴とするゴルフクラブ。
【請求項６】
請求項１ないし５のいずれか１項において、前記ゴルフクラブ用リングの前記上部の上位側の外周面は、上方ほど縮径する傾斜部となっており、該傾斜部の高さＩが前記突出長さＴと同一であることを特徴とするゴルフクラブ。
【請求項７】
請求項１ないし６のいずれか１項において、前記スリーブの上部（５ｄ）の側面に傾斜面部（５ｆ）が設けられていることを特徴とするゴルフクラブ。
【発明の詳細な説明】
【技術分野】
【０００１】
本発明は、ゴルフクラブのシャフトの先端部が挿通されるゴルフクラブ用リングと、このゴルフクラブ用リングが装着されたゴルフクラブに関する。
【背景技術】
【０００２】
ゴルフクラブのホゼル穴付近においてシャフトに局部的に応力が集中することを防止するために、ホゼル穴付近にフェルール等の部材を配置することが知られている（特許文献１〜７）。また、フェルールのついたシャフトの先端にシャフトホルダ（スリーブ）を装着したゴルフクラブも知られている。（特許文献８）。
【先行技術文献】
【特許文献】
【０００３】
【特許文献１】特開２００６−１５８４９８
【特許文献２】特開２００３−９３５５２
【特許文献３】特開２００２−１７７４１７
【特許文献４】特開２００２−７７１
【特許文献５】特開平７−１８５０４８
【特許文献６】実開昭５９−６９７６４
【特許文献７】実開昭５１−１１４１６０
【特許文献８】特開２０１１−１０３９８５
【発明の概要】
【発明が解決しようとする課題】
【０００４】
スリーブの上側にさらにフェルールを配置したゴルフクラブは、ヘッドのホゼルから突出する部分が、スリーブ上部と、さらにその上のフェルールとなり、アドレス時にこの部分が長く感じられ、構えにくい場合がある。
【０００５】
本発明は、シャフト部に局部的に応力が集中することを防止することができると共に、ヘッドのホゼルからの突出する部分が短く、アドレス時に構えやすくすることができ、ゴルフクラブ用リングとスリーブとの接着力を高めることができるゴルフクラブ用リングと、このゴルフクラブ用リングを備えたゴルフクラブとを提供することを目的とする。
【課題を解決するための手段】
【０００６】
本発明のゴルフクラブ用リングは、シャフトが挿通されるシャフト挿通孔を有し、該シャフトに装着されるゴルフクラブ用リングであって、上部と、該上部よりも大径の下部とを有し、該上部の最外径は該下部の最外径よりも小さいことを特徴とする。
【０００７】
本発明のゴルフクラブ用リングの一態様では、前記上部の上位側の外周面は、上方ほど縮径する傾斜部となっている。
【０００８】
本発明のゴルフクラブ用リングの一態様では、前記上部に、前記シャフト挿通孔と、該上部の外周面とを連通する貫通部が設けられている。
【０００９】
本発明のゴルフクラブは、ホゼル穴を有するヘッドと、スリーブシャフト挿入穴を有し、該ホゼル穴に挿入されるスリーブと、該スリーブシャフト挿入穴に挿入されたシャフトと、シャフトが挿通されるシャフト挿通孔を有するゴルフクラブ用リングとを有するゴルフクラブにおいて、該ゴルフクラブ用リングは、上部と、該上部よりも大径の下部とを有し、該上部の最外径は該下部の最外径よりも小さく、該スリーブシャフト挿入穴は、該ゴルフクラブ用リングの該下部よりも小径のスリーブシャフト挿入穴下部と、該ゴルフクラブ用リングの該下部が挿入されるスリーブシャフト挿入穴上部とを有していることを特徴とする。
【００１０】
本発明のゴルフクラブの一態様では、前記ゴルフクラブ用リングは、前記上部の上位側の外周面は、上方ほど縮径する傾斜部となっている。
【００１１】
本発明のゴルフクラブの一態様では、前記ゴルフクラブ用リングは、前記上部に、前記シャフト挿通孔と、該上部の外周面とを連通する貫通部が設けられている。
【００１２】
本発明のゴルフクラブの一態様では、前記ゴルフクラブ用リングの前記上部の最外径は、前記スリーブシャフト挿入穴上部よりも小さい。
【００１３】
本発明のゴルフクラブの一態様では、前記ゴルフクラブ用リングの上部と前記スリーブシャフト挿入穴上部の内周面との間に接着剤が充填されている。
【発明の効果】
【００１４】
本発明のゴルフクラブ用リング及びゴルフクラブにあっては、シャフト部に局部的に応力が集中することを防止することができると共に、ヘッドのホゼルからの突出する部分が短く、アドレス時に構えやすくすることができ、ゴルフクラブ用リングとスリーブとの接着力を高めることができる。
【図面の簡単な説明】
【００１５】
【図１】実施の形態に係るゴルフクラブ用リングの正面図である。
【図２】図１のゴルフクラブ用リングの縦断面図である。
【図３】図１のゴルフクラブ用リングを備えたスリーブ上部の縦断面図である。
【図４】実施の形態に係るゴルフクラブのホゼル付近の縦断面図である。
【図５】（ａ）図は実施の形態に係るゴルフクラブに用いられるスリーブの側面図である。（ｂ）図はこのスリーブと、それに装着されるゴルフクラブ用リングの縦断面図である。
【図６】図５のスリーブの斜視図である。
【発明を実施するための形態】
【００１６】
図１，２を参照して実施の形態に係るゴルフクラブ用リング１０について説明する。
【００１７】
ゴルフクラブ用リング１０の材料は特に制限されないが、例えば、セルロイド樹脂やその他の樹脂組成物等を用いることができる。
【００１８】
このゴルフクラブ用リング１０は、上下方向に貫通するシャフト挿通孔１４を有した略円環状である。シャフト挿通孔１４の直径Ｃは、該シャフト挿通孔１４に挿通されるシャフト４（図４）の先端部の直径よりも小さい。特に制限されないが、直径Ｃは７ｍｍ以上、１０ｍｍ以下である。この実施の形態では、直径Ｃは８．３ｍｍである。
【００１９】
ゴルフクラブ用リング１０は、下部１１と、該下部１１よりも直径が小さい上部１２とを有する。上部１２は、その上位側が、上方ほど縮径するテーパ状の傾斜部１２ａとなっており、該傾斜部１２ａよりも下側は、以下に説明する貫通部１３を除き、縦方向Ｚにわたって等径の円筒部１２ｂとなっている。縦方向Ｚにおいて、傾斜部１２ａの円筒部１２ｂに対する傾斜角度θは、０°超、４５°以下である。この実施の形態では、傾斜角度θは１７°である。下部１１は、縦方向Ｚにわたって等径の円筒状である。図１における縦方向Ｚは、シャフト挿通孔１４の中心軸１４Ｘと平行な方向である。また、縦方向Ｚと直交方向を横方向Ｙとする。
上部の最外径Ｂは、特に制限されないが、７ｍｍ以上、１２ｍｍ以下であり、この実施の形態では１０．０ｍｍである。下部の最外径Ａは、特に制限されないが、７．５ｍｍ以上、１３ｍｍ以下であり、この実施の形態では１０．３ｍｍである。上部の最外径Ｂは下部の最外径Ａよりも小さくなっている。
上部の高さＦは、特に制限されないが、２ｍｍ以上、１０ｍｍ以下である。下部の高さＨは、特に制限されないが、１ｍｍ以上、１０ｍｍ以下である。
【００２０】
上部１２には、半径方向に貫通してシャフト挿通孔１４と上部外周面１２ｇとを連通する貫通部１３が設けられている。この実施の形態では、貫通部１３は上部１２の直径方向に対峙して２個設けられているが、３個又はそれ以上設けられてもよい。３個以上の貫通部を設ける場合、各貫通部１３は周方向に等間隔で配置してもよい。貫通部１３は、この実施の形態では横方向に長さＤを有する楕円形の貫通孔であるが、これに限定されず、円形や多角形等の形状でもよい。貫通部１３の横方向の長さＤは、１ｍｍ以上、１０ｍｍ以下であり、この実施の形態では３．０ｍｍである。貫通部１３の縦方向の高さＧは、１ｍｍ以上、５ｍｍ以下であり、この実施の形態では１．８ｍｍである。
【００２１】
以下、図３〜６を参照して実施の形態に係るゴルフクラブ１を説明する。このゴルフクラブ１は、ヘッド２のホゼル３のホゼル穴３Ｈに対し、ゴルフクラブ用リング１０及びシャフト４付きのスリーブ５を差し込み、ボルト（固定ねじ）６で着脱可能に固定したものである。この実施の形態では、ヘッド２は中空のウッド型のものであるが、アイアン型やユーティリティ型等であってもよい。
【００２２】
ホゼル穴３Ｈは、上端が開放し、下端の底面部７にボルト挿通孔７ａが設けられている。ボルト６は、このボルト挿通孔７ａを通ってスリーブ５のスリーブねじ穴６ｈにねじ込まれている。図５（ｂ）における縦方向Ｚは、スリーブねじ孔６ｈの中心軸６Ａと平行な方向である。また、縦方向Ｚと直交方向を横方向Ｙとする。図１における縦方向Ｚと、図５（ｂ）における縦方向Ｚは同じ方向である。
【００２３】
この実施の形態では、スリーブシャフト挿入穴９の軸心方向９Ｘは縦方向Ｚと同じ方向になっているが、縦方向Ｚに対し傾斜していてもよい。
【００２４】
ホゼル穴３Ｈは、ホゼル穴上部３ａと、ホゼル穴中間部３ｂと、ホゼル穴下部３ｃとを有する。ホゼル穴上部３ａの内周面には、以下に説明するスリーブ係合部５ａの雄形スプライン８ｂに係合するように形成された雌形スプライン８ａが設けられている。ホゼル穴中間部３ｂは、次に説明するスリーブ５のスリーブ中間部５ｂが挿入可能な内径を有している。ホゼル穴下部３ｃはホゼル穴中間部３ｂと等径である。
【００２５】
スリーブ５は、図５，６の通り、上側から順次スリーブ上部５ｄと、スリーブ係合部５ａと、スリーブ中間部５ｂと、スリーブ下部５ｃとを有している。スリーブ係合部５ａの外周面には雄形スプライン８ｂが設けられている。
【００２６】
スリーブ上部５ｄの側面（外周面）は、円筒面部５ｅと、それよりも上側の、上方ほど径が小さくなる傾斜面部５ｆとからなっている。
【００２７】
この傾斜面部５ｆの縦方向に対する傾斜角αは、０°超、４５°以下である。この実施の形態では、傾斜角αは１４°である。これにより、従来のように、側面に傾斜角のついたフェルールをシャフト先端側に取り付け、フェルールをスリーブ頂面５ｇに当接させて、シャフト外径とスリーブ頂面の外径の差を小さくするような必要がなくなる。
【００２８】
円筒面部５ｅの直径は、スリーブ係合部５ａよりも大きく、円筒面部５ｅとスリーブ係合部５ａとの境界部が段差状のスリーブホゼル上面接触部５ｓとなっている。
【００２９】
スリーブ５は、スリーブホゼル上面接触部５ｓがホゼル３の上端３ｔに当接するまで、ホゼル穴３Ｈの雌形スプライン８ａとスリーブ５の雄形スプライン８ｂとを係合させながら、ホゼル穴３Ｈに挿入される。
【００３０】
スリーブ中間部５ｂは、スリーブ係合部５ａよりも直径（外径）が小さく、スリーブ下部５ｃよりも直径（外径）が大きい。スリーブ中間部５ｂには、少なくとも部分的に、縦方向Ｚと同じ方向に延びる外周面部分や、スリーブシャフト挿入穴の中心軸に向かい凹むような湾曲面部分を有してもよい。この実施の形態では、スリーブ中間部５ｂは、縦方向Ｚと同じ方向に延びる外周面部分を有している。
【００３１】
スリーブ頂面５ｇから下方に向ってスリーブシャフト挿入穴９が設けられている。スリーブシャフト挿入穴９は、大径のスリーブシャフト挿入穴上部９ａと、小径のスリーブシャフト挿入穴下部９ｃと、それらの間のスリーブシャフト挿入穴移行部９ｂとを有する。スリーブシャフト挿入穴移行部９ｂは、下方ほど径が小さくなっている。スリーブシャフト挿入穴移行部９ｂの内周面９ｉは、テーパ状であってもよく、スリーブ５の縦断面においてスリーブシャフト挿入穴９の軸心に向って凸となるように湾曲する曲率を周方向にわたり有してもよい。この実施の形態では、内周面９ｉは湾曲する曲率を周方向にわたり有している。これにより、ゴルフボールを打撃した場合、スリーブシャフト挿入穴上部９ａとスリーブシャフト挿入穴下部９ｃとの間付近でシャフト４に応力が集中することが防止される。
【００３２】
スリーブシャフト挿入穴下部９ｃの内径（直径）ｄ１は、ゴルフクラブ用リング１０の下部最外径Ａよりも小さい。スリーブシャフト挿入穴上部９ａの内径（直径）ｄ２はゴルフクラブ用リング１０の下部１１が挿入可能な大きさとなっている。スリーブシャフト挿入穴上部９ａの内径ｄ２はゴルフクラブ用リング１０の上部１２の最外径Ｂよりも大きい。これにより、ゴルフクラブ用リング１０がスリーブシャフト挿入穴上部９ａに挿入された場合、スリーブシャフト挿入穴上部９ａの内周面９ｎとゴルフクラブ用リング１０の上部１２の外周面１２ｇとの間に比較的広い隙間を生じさせることができる。この隙間に接着剤を充填させることで、ゴルフクラブ用リング１０とスリーブ５の接着力を高め、ゴルフボール打撃時にゴルフクラブ用リングがシャフトからずれることを抑制することができる。
また、ゴルフクラブ用リング１０に貫通部１３を設けることで、貫通部１３にも接着剤が充填される。これにより、ゴルフクラブ用リング１０とスリーブ５とシャフトの接着力をさらに高めることができる。
【００３３】
スリーブシャフト挿入穴上部９ａとシャフト４の間にゴルフクラブ用リング１０が配置されることで、スリーブシャフト挿入穴上部９ａ付近で局部的にシャフト４に応力が集中することが防止される。ゴルフクラブ用リング１０は、スリーブシャフト挿入穴上部９ａとスリーブシャフト挿入穴移行部９ｂの境界部９ｋに当接するまでスリーブシャフト挿入穴９に挿入される。スリーブシャフト挿入穴上部９ａの軸心線方向長さＬ１は、ゴルフクラブ用リング１０の高さＥ（高さＦ＋高さＨ）よりも小さい。ゴルフクラブ用リング１０は、スリーブ５に装着された際に、スリーブシャフト挿入穴上部９ａの軸心線方向長さＬ１とゴルフクラブ用リング１０の高さＥとの差Ｔ＝Ｌ１−Ｅだけ、スリーブ５の頂面５ｇから突出する。この突出長さＴは、０．５ｍｍ以上、２ｍｍ以下である。この実施の形態では、突出長さＴは１ｍｍである。突出長さＴが大き過ぎると、アドレス時にこの部分が長く感じられ、構えにくい場合がある。
【００３４】
傾斜部１２ａの高さＩは、突出長さＴと同一かそれよりも大きいことが好ましい。これにより、ゴルフクラブ用リング１０のうち、スリーブ５ｇの頂面５ｇから突出する部分は傾斜部１２ａのみとなる。この実施の形態では、傾斜部１２ａの高さＩと突出長さＴは同一である。
【００３５】
このゴルフクラブ１にあっては、ゴルフクラブ用リング１０の傾斜部１２ａがスリーブ５の上頂面５ｇから上方に突出しており、ゴルフクラブ用リング１０の上端面１０ｇとシャフト４の外径との差が小さく、アドレス時に構えやすい。また、スリーブ上部５ｄの側面に傾斜面部５ｆが設けられ、傾斜角度がついているので、スリーブ５の上端面５ｇとシャフト４の外径との差が小さく、アドレス時にさらに構えやすい。
【００３６】
シャフト４とゴルフクラブ用リング１０とスリーブ５の固着手順としては、まずシャフト４をゴルフクラブ用リング１０のシャフト挿通孔１４に挿通する。次に、ゴルフクラブ用リング１０の周囲とシャフト４の先端の周囲に接着剤を塗布する。次に、ゴルフクラブ用リング１０が、スリーブシャフト挿入穴上部９ａとスリーブシャフト挿入穴移行部９ｂの境界部９ｋに当接するまでスリーブシャフト挿入穴９に挿入し、スリーブ挿入穴の外部にはみ出した接着剤を拭き取り、接着剤を硬化させることで、シャフト４とゴルフクラブ用リング１０とスリーブ５が固着される。ただし、固着手順はこれに限定されるものではない。
【００３７】
このゴルフクラブ用リング１０及びゴルフクラブ１にあっては、ゴルフクラブ用リング１０の上部１２の外周面１２ｇとスリーブシャフト挿入穴９ａの内周面９ｎとの間に接着剤を充填することにより、ゴルフクラブ用リング１０とスリーブ５との接着力を高めることができる。これにより、ゴルフボール打撃時にゴルフクラブ用リングがシャフトからずれることを抑制することができる。
【００３８】
上記実施の形態は本発明の一例であり、本発明は上記以外の構成とされてもよい。例えば、スリーブを有しないゴルフクラブにおいて、ゴルフクラブ用リング１０をゴルフクラブヘッドのホゼル穴に直接挿入してもよい。
【符号の説明】
【００３９】
１  ゴルフクラブ
２  ヘッド
３  ホゼル
３Ｈ  ホゼル穴
４  シャフト
５  スリーブ
６  ボルト
９  スリーブシャフト挿入穴
１０  ゴルフクラブ用リング
１１  ゴルフクラブ用リングの下部
１２  ゴルフクラブ用リングの上部
１３  貫通部
１４  シャフト挿通孔
【図１】
0006710982.tif 000002
【図２】
0006710982.tif 000003
【図３】
0006710982.tif 000004
【図４】
0006710982.tif 000005
【図５】
0006710982.tif 000006
【図６】
0006710982.tif 000007